(57)【要約】【課題】食器洗い乾燥器で洗浄乾燥に不向きな食器を検知し排除すること。【解決手段】本発明の食器洗い乾燥機１は読取手段２を具備し、食器１０に貼付された無線ＩＣタグ１１からデータを読み出して洗浄乾燥不可能な食器が入れられた、あるいは存在した場合は、警報を報知する、あるいは洗浄スイッチを押されても洗浄乾燥を行わないようにした。【選択図】図１
2006087674.tif 000002
【特許請求の範囲】
【請求項１】
食器にひとつ以上の無線ＩＣタグが貼付されており、食器洗い乾燥機の読取手段で前記無線ＩＣタグからデータを読み取り、前記食器を洗浄乾燥できないと判断した場合には洗浄乾燥を行わないことを特徴とする食器洗い乾燥機。
【請求項２】
食器にひとつ以上の無線ＩＣタグが貼付されており、食器洗い乾燥機の読取手段で前記無線ＩＣタグからデータを読み取り、前記食器を洗浄乾燥できないと判断した場合には食器洗い乾燥機に具備した警報装置から報知することを特徴とする食器洗い乾燥機。
【請求項３】
食器洗い乾燥機は開け閉め可能な食器を出し入れするための扉あるいは蓋を具備し、扉あるいは蓋が開けられている時に無線ＩＣタグのデータを読み出すことを特徴とする請求項１または２記載の食器洗い乾燥機。
【請求項４】
無線ＩＣタグのデータに食器洗い乾燥機で洗浄乾燥可能かどうかの情報を含むことを特徴とする請求項１または２記載の食器洗い乾燥機。
【請求項５】
無線ＩＣタグのデータに食器の製造者、型番、材質、上塗りに関する情報の少なくとも一つを含み、食器洗い乾燥機の持つデータベースと比較して、洗浄もしくは乾燥可能かどうかの情報を判定することを特徴とする請求項１または２記載の食器洗い乾燥機。
【請求項６】
一定時間ごとに通信回線を経由して食器洗い乾燥機の持つデータベースを更新することを特徴とする請求項５記載の食器洗い乾燥機。
【請求項７】
請求項１〜６のいずれか記載の食器洗い乾燥機において少なくともひとつの機能をコンピュータに実行させるためのプログラム。
【発明の詳細な説明】
【技術分野】
【０００１】
本発明は、食器洗い乾燥機に関するものである。
【背景技術】
【０００２】
食器洗い乾燥機は非常に便利な機械であるが、高温高圧水を噴射して洗浄するので、汚れの種類によっては綺麗に洗浄できないことや、反対に高温高圧水のために食器を傷めてしまうということがあった。そのため特許文献１のように非接触ＩＣタグを食器に付してその食器に応じた洗浄制御を行うという方式が考案されている。
【特許文献１】特開２０００−２７９３６２号公報
【発明の開示】
【発明が解決しようとする課題】
【０００３】
しかしながら、同じ一つの洗浄容器内で部分的に食器ごとに異なる方法で洗浄することには限界があり、洗浄力低下をもたらしたり、殺菌効果を低下させたり、あるいは逆に食器を傷める危険性を完全に排除できない。特に耐熱性で無いプラスチック製品、国内有名焼き物やボーンチャイナに代表される高級食器、カットグラス、クリスタルグラス、着色グラス、漆塗り食器、金属（アルミ、銅、鉄、銀）食器については高圧洗浄水、高温蒸気にさらすことで光沢を失う、色調が変わる、白濁するという大きな課題がある。
【０００４】
元々こういった食器類のなかには高圧洗浄水、高温蒸気にさらされることを想定していないものもあり、そのため高温水噴射を基本動作とする食器洗い乾燥器で洗浄することは困難である。逆にこれらの食器を傷めないような緩慢な洗浄方法では他の食器の洗浄には不十分である。
【０００５】
しかも洗浄に不向きな食器への悪影響を配慮して高温に出来ないことにより、Ｏ１５７に代表される大腸菌などの殺菌も期待できない。これでは本来の食器洗い乾燥機の機能が発揮できないことになってしまう。従って、食器洗い乾燥器で洗浄乾燥に不向きな食器は最初から排除するのが最も確実かつ安全な方法である。
【課題を解決するための手段】
【０００６】
そこで、前記の課題を解決するために、本発明の食器洗い乾燥機は読取手段を具備し、食器に貼付された無線ＩＣタグからデータを読み出して洗浄不可能な食器が入れられた、あるいは存在した場合は、警報を報知する、あるいは洗浄スイッチを押されても洗浄を行わないようにした。
【発明の効果】
【０００７】
本発明の食器洗い乾燥機は、読取手段を具備し、食器に貼付された無線ＩＣタグからデータを読み出して洗浄乾燥不可能な食器が入れられた、あるいは存在した場合は、警報を報知する、あるいは洗浄スイッチを押されても洗浄乾燥を行わないので、気づかないうちに食器洗い乾燥機に入れて洗浄乾燥させてしまい、大切な食器を変色、変質させてしまうというトラブルを根本的に解決できる。
【０００８】
金属製の食器などと異なり、国内有名焼き物やボーンチャイナに代表される高級食器は陶器であるため他の食器との見分けがつきにくい。そのため、食器洗い乾燥機に入れてしまうというミスを犯しやすい傾向にあるので、特にこのような高級食器に対して効果が高い。
【発明を実施するための最良の形態】
【０００９】
第１の発明は、食器にひとつ以上の無線ＩＣタグが貼付されており、食器洗い乾燥機の読取手段で前記無線ＩＣタグからデータを読み取り、食器を洗浄乾燥できないと判断した場合には洗浄乾燥を行わない。これにより、誤って洗浄してはいけない食器を入れてしまったことを知らずに洗浄しようとしてしまった場合でも、食器洗い乾燥機自身がそれを判断して、洗浄乾燥を行わないので大切な高級食器を傷めて後悔するということを未然に防ぐことが出来る。
【００１０】
第２の発明は、食器にひとつ以上の無線ＩＣタグが貼付されており、食器洗い乾燥機の読取手段で前記無線ＩＣタグからデータを読み取り、特定の食器が存在した場合に、食器洗い乾燥機に具備した警報装置から音、光、振動のいずれかあるいはすべての手段を用いて報知する。これにより、誤って洗浄乾燥してはいけない食器を食器洗い乾燥機に入れてしまった時点で、そのことを報知するので、その場で即座にミスに気づくことが出来、大切な高級食器を傷めて後悔するということを未然に防ぐことが出来る。
【００１１】
第３の発明は、特に第２の発明の食器洗い乾燥機において、開け閉め可能な食器を出し入れするための扉あるいは蓋を具備し、扉あるいは蓋が開けられている時に無線ＩＣタグの情報を読み出して解析する。これにより、洗浄乾燥してはいけない食器を食器洗い乾燥機に入れた瞬間に警告を発することが出来、より迅速に利用者がミスに気づくことが期待できる。さらに無線ＩＣタグの読取手段を常時動作させる必要がなく、扉や蓋が開いている時だけ動作させるため省エネルギ効果も期待できる。
【００１２】
第４の発明は、特に第１および第２の発明の食器洗い乾燥機において、無線ＩＣタグのデータに食器洗い乾燥機で洗浄もしくは乾燥可能かどうかの情報を含む。これにより、食器洗い乾燥機で洗浄あるいは乾燥しても良い食器かどうかの判断が瞬時かつ容易かつ確実に行うことが出来る。
【００１３】
第５の発明は、特に第１および第２の発明の食器洗い乾燥機において、無線ＩＣタグのデータに食器の製造者、型番、材質、上塗りに関する情報の少なくとも一つを含み、食器洗い乾燥機の持つデータベースと比較して、洗浄もしくは乾燥可能かどうかの情報を判定する。これにより、無線ＩＣタグ自身に食器洗い乾燥機で洗浄あるいは乾燥しても良いかどうかの情報がない時でも、データベースから知ることが可能となる。
【００１４】
第６の発明は、特に第５の発明の食器洗い乾燥機において、一定時間ごとに通信回線（たとえばインターネット）を経由して食器洗い乾燥機の持つデータベースを更新する。これにより、常に最新のデータベースと比較することが可能となるので、食器洗い乾燥機で洗浄乾燥しても良いかどうかの判断をより確実におこなえるようになる。
【００１５】
第７の発明は、第１〜６の発明の食器洗い乾燥機において、少なくともひとつの機能をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の一部あるいは全てをプログラムとして容易に実現することができる。また記録媒体に記録あるいは、通信回線を用いてプログラム配信することにより、プログラム配布が他の手段に比べて極めて簡単に実現できる。
【００１６】
以下、本発明の実施の形態について、図面を用いて一実施形態について詳細に説明する。なお、この実施の形態によって本発明が限定されるものではない。
【００１７】
（実施の形態１）
図１は本発明の食器洗い乾燥機の構成一例を示す図である。食器洗い乾燥機１は、無線ＩＣタグ１１のデータを読み取る読取手段２、そのデータを処理する処理手段３、そしてその判定結果により洗浄乾燥機能を制御する洗浄乾燥制御手段４を具備している。食器洗い乾燥機１に入れられた食器１０には無線ＩＣタグ１１が貼付されており、この無線ＩＣタグのデータを読取手段２が読み出し、読み込まれたデータは処理手段２にて処理される。
【００１８】
なお、無線ＩＣタグ１１は食器洗い乾燥機で洗浄乾燥可能かどうかの情報を含むデータを持っていることもあるし、食器の製造者、型番、材質、上塗りに関する情報をデータとして持っていることもある。いずれか一方、もしくは両方の情報も読取手段２で読み出すことが出来る。
【００１９】
無線ＩＣタグ１１から読み取られたデータは処理手段３にて処理される。洗浄乾燥可能かどうかの情報が含まれていればそのままその情報に従い、もしその情報がない場合には処理手段３の内部のデータベースから洗浄乾燥可能かどうかを調査し、最終的には洗浄乾燥制御手段４を介して、洗浄乾燥開始もしくは洗浄乾燥禁止処理を行う。
【００２０】
図２は本発明の食器洗い乾燥機の動作シーケンスの一例を示す図である。Ｓ２１で洗浄乾燥を開始するかどうかを監視して、開始になった時点でＳ２２において食器洗い乾燥機内に入れられている食器の無線ＩＣタグからデータを読み出す。Ｓ２３においてＳ２２で読み込んだデータに洗浄乾燥機禁止フラグが立っているものがあるかどうかを判定し、ひとつでも該当するものがあれば洗浄乾燥を禁止する。
【００２１】
該当するものがひとつもなかった場合にはＳ２２で読み込んだデータをＳ２４にて処理手段３内のデータベースと比較して、食器洗い乾燥機で洗浄乾燥できないものがあるかどうかを調査して該当するものが何もなければ、いよいよ洗浄乾燥を開始する。
【００２２】
（実施の形態２）
図３は本発明の食器洗い乾燥機の構成一例を示す図である。食器洗い乾燥機１は、無線ＩＣタグのデータを読み取る読取手段２、そのデータを処理する処理手段３、そしてその判定結果により警報を報知して注意を喚起するための警報報知手段６を具備している。以下、実施の形態１と同様に洗浄してはいけない食器を検知した場合には、警報報知手段６により報知する。報知には光、音、振動のいずれか、もしくは全てを用いてもかまわない。
【００２３】
図４は本発明の食器洗い乾燥機の動作シーケンスの一例を示す図である。Ｓ３１で食器洗い乾燥の扉、蓋が開いているかどうかを監視して、開いた時点でＳ３２において常時、食器の無線ＩＣタグからデータを読み出す。Ｓ３３においてＳ３２で読み込んだデータに食器洗い乾燥機使用禁止フラグが立っているものがあるかどうかを判定し、ひとつでも該当するものがあればＳ３５にて洗浄不可として警報報知する。
【００２４】
該当するものがひとつもなかった場合にはＳ３２で読み込んだデータをＳ３４にて処理手段３の内のデータベースと比較して、食器洗い乾燥機で洗浄できないものがあるかどうかを調査して該当するものが何もなければ、再度３１から繰り返す。これにより食器洗い乾燥機の扉、蓋が開けられて食器が入れられた時に即座にその食器に貼付された無線ＩＣタグからデータを読み出し、食器洗い乾燥機で洗浄乾燥不可能な食器を発見しだい警報報知する。
【００２５】
なお、処理手段３の中のデータベースは常に最新の情報を反映させるため、処理手段３からインターネットを介してデータベース管理サーバーなどから定期的に取得するといったことが可能である。この手続きは一般のインターネット接続と全く同様なので図を用いた説明は省略する。
【００２６】
また、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録、もしくはインターネットなどの通信回線を用いて配信することで新しい機能の配布・更新やそのインストール作業が簡単にできる。
【００２７】
また、本実施例では非常に限られた用途だけを例として用いているが、一般家電にも適用可能な技術であり、いずれの場合にも効果を発揮するものである。
【産業上の利用可能性】
【００２８】
以上のように、本発明にかかる食器洗い乾燥機は読取手段を具備し、食器に貼付された無線ＩＣタグからデータを読み出して洗浄乾燥不可能な食器が入れられた、あるいは存在した場合は、警報を報知する、あるいは洗浄スイッチを押されても洗浄乾燥を行わないようにした。
【図面の簡単な説明】
【００２９】
【図１】本発明の実施の形態１の食器洗い乾燥機の構成一例を示す図
【図２】本発明の実施の形態１の食器洗い乾燥機の動作シーケンスの一例を示す図
【図３】本発明の実施の形態２の食器洗い乾燥機の構成一例を示す図
【図４】本発明の実施の形態２の食器洗い乾燥機の動作シーケンスの一例を示す図
【符号の説明】
【００３０】
１  食器洗い乾燥機
２  読取手段
３  処理手段
４  洗浄乾燥制御手段
５  警報報知手段（警報装置）
１０  食器
１１  無線ＩＣタグ
【図１】
2006087674.tif 000003
【図２】
2006087674.tif 000004
【図３】
2006087674.tif 000005
【図４】
2006087674.tif 000006